【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
コンピュータで実施される方法であって、
少なくとも１つのプロセッサによって、複数のレイアウトセグメントを含むプレゼンテーションスライドを受け取るステップであり、
前記複数のレイアウトセグメントは、前記プレゼンテーションスライドの視覚的な分割に対応しており、かつ、
前記複数のレイアウトセグメントの各レイアウトセグメントは、前記各レイアウトセグメントの中へ第１オブジェクトをインタラクティブに挿入することに応じて、異なるレイアウト結果を自動的に生成するように構成された異なるレイアウトルールに関連付けられている、
ステップと、
前記少なくとも１つのプロセッサによって、電子デバイスについてデバイス特性を決定するステップと、
前記少なくとも１つのプロセッサによって、前記第１オブジェクトが前記複数のレイアウトセグメントのうち第１レイアウトセグメントの中に有ると判断するステップと、
前記決定されたデバイス特性、前記判断された第１レイアウトセグメント、および、前記第１オブジェクトの第１プロパティに基づいて、前記少なくとも１つのプロセッサによって、第１レイアウトルールを決定するステップと、
前記決定された第１レイアウトルールに基づいて、前記少なくとも１つのプロセッサによって、前記第１オブジェクトを変更するステップと、
前記少なくとも１つのプロセッサによって、前記プレゼンテーションスライドの更新に応じて、第１オブジェクトが、前記複数のレイアウトセグメントの第３レイアウトセグメントの中に有ることを決定するステップと、
前記少なくとも１つのプロセッサによって、前記決定された第３レイアウトセグメントおよび前記第１オブジェクトの第２プロパティに基づいて、第２レイアウトルールを決定するステップと、
前記少なくとも１つのプロセッサによって、前記決定された第２レイアウトルールに基づいて、前記第１オブジェクトを変更するステップと、
前記少なくとも１つのプロセッサによって、前記電子デバイスにおいてレイアウト結果を出力するステップであり、前記レイアウト結果は、前記プレゼンテーションスライドおよび前記変更されたオブジェクトに少なくとも部分的に基づいている、ステップと、
を含む、
方法。
【請求項２】
前記受け取るステップは、さらに、
クラウドコンピューティングプラットフォームから前記プレゼンテーションスライドを受け取るステップ、を含む、
請求項１に記載の方法。
【請求項３】
前記デバイス特性は、ディスプレイスクリーンのサイズ、ディスプレイスクリーンの向き、色深度機能、メモリサイズ、および、入力機能、を含む、
請求項１に記載の方法。
【請求項４】
前記決定された第１レイアウトルールに基づいて、前記第１オブジェクトを変更するステップは、さらに、
前記決定された第１レイアウトルールに基づいて、前記第１オブジェクトの位置、前記第１オブジェクトのサイズ、前記第１オブジェクトの向き、および、前記第１オブジェクトの色、のうち少なくとも１つを変更するステップ、を含む、
請求項１に記載の方法。
【請求項５】
前記第１オブジェクトの前記第１プロパティは、
前記第１オブジェクトのタイプ、前記第１オブジェクトのサイズ、前記第１オブジェクトの向き、または、前記第１オブジェクトの色、を含む、
請求項１に記載の方法。
【請求項６】
前記オブジェクトは、写真、形状、ビデオ、アニメーション、または、テキストブロックである、
請求項１に記載の方法。
【請求項７】
前記複数のレイアウトセグメントは、複数のグリッド線に基づいて定められる、
請求項１に記載の方法。
【請求項８】
メモリと、
前記メモリに対して接続された少なくとも１つのプロセッサと、
を含む、システムであって、
前記少なくとも１つのプロセッサは、
複数のレイアウトセグメントを含むプレゼンテーションスライドを受け取り、
前記複数のレイアウトセグメントは、前記プレゼンテーションスライドの視覚的な分割に対応しており、かつ、
前記複数のレイアウトセグメントの各レイアウトセグメントは、前記各レイアウトセグメントの中へ第１オブジェクトをインタラクティブに挿入することに応じて、異なるレイアウト結果を自動的に生成するように構成された異なるレイアウトルールに関連付けられており、
前記システムのデバイス特性を決定し、
前記第１オブジェクトが前記複数のレイアウトセグメントのうち第１レイアウトセグメントの中に有ると判断し、
前記決定されたデバイス特性、前記判断された第１レイアウトセグメント、および、前記第１オブジェクトの第１プロパティに基づいて、前記少なくとも１つのプロセッサによって、第１レイアウトルールを決定し、
前記決定された第１レイアウトルールに基づいて、前記第１オブジェクトを変更し、
前記プレゼンテーションスライドの更新に応じて、第１オブジェクトが、前記複数のレイアウトセグメントの第３レイアウトセグメントの中に有ることを決定し、
前記決定された第３レイアウトセグメントおよび前記第１オブジェクトの第２プロパティに基づいて、第２レイアウトルールを決定し、
前記決定された第２レイアウトルールに基づいて、前記第１オブジェクトを変更し、かつ、
レイアウト結果を出力する、
ように構成されており、
前記レイアウト結果は、前記プレゼンテーションスライド、および、前記決定された第２レイアウトルールに基づく前記第１オブジェクトの変更に少なくとも部分的に基づいている、
システム。
【請求項９】
前記プレゼンテーションスライドを受け取るために、前記少なくとも１つのプロセッサは、さらに、
クラウドコンピューティングプラットフォームから前記プレゼンテーションスライドを受け取る、ように構成されている、
請求項８に記載のシステム。
【請求項１０】
前記デバイス特性は、ディスプレイスクリーンのサイズ、ディスプレイスクリーンの向き、色深度機能、メモリサイズ、および、入力機能、を含む、
請求項８に記載のシステム。
【請求項１１】
前記決定された第１レイアウトルールに基づいて、前記第１オブジェクトを変更するために、前記少なくとも１つのプロセッサは、さらに、
前記決定された第１レイアウトルールに基づいて、前記第１オブジェクトの位置、前記第１オブジェクトのサイズ、前記第１オブジェクトの向き、および、前記第１オブジェクトの色、のうち少なくとも１つを変更する、ように構成されている、
請求項８に記載のシステム。
【請求項１２】
前記第１オブジェクトの前記第１プロパティは、
前記第１オブジェクトのタイプ、前記第１オブジェクトのサイズ、前記第１オブジェクトの向き、または、前記第１オブジェクトの色、を含む、
請求項８に記載のシステム。
【請求項１３】
前記複数のレイアウトセグメントは、複数のグリッド線に基づいて定められる、
請求項８に記載のシステム。
【請求項１４】
コンピュータで読取り可能な非一時的な媒体であって、少なくとも１つのコンピューティングデバイスによって実行されると、前記少なくとも１つのコンピューティングデバイスにオペレーションを実行させるインストラクションが保管されており、
前記オペレーションは、
複数のレイアウトセグメントを含むプレゼンテーションスライドを受け取るステップであり、
前記複数のレイアウトセグメントは、前記プレゼンテーションスライドの視覚的な分割に対応しており、かつ、
前記複数のレイアウトセグメントの各レイアウトセグメントは、前記各レイアウトセグメントの中へ第１オブジェクトをインタラクティブに挿入することに応じて、異なるレイアウト結果を自動的に生成するように構成された異なるレイアウトルールに関連付けられている、
ステップと、
電子デバイスについてデバイス特性を決定するステップと、
前記第１オブジェクトが前記複数のレイアウトセグメントのうち第１レイアウトセグメントの中に有ると判断するステップと、
前記決定されたデバイス特性、前記判断された第１レイアウトセグメント、および、前記第１オブジェクトの第１プロパティに基づいて、第１レイアウトルールを決定するステップと、
前記決定された第１レイアウトルールに基づいて、前記第１オブジェクトを変更するステップと、
前記プレゼンテーションスライドの更新に応じて、第１オブジェクトが、前記複数のレイアウトセグメントの第３レイアウトセグメントの中に有ることを決定するステップと、
前記決定された第３レイアウトセグメントおよび前記第１オブジェクトの第２プロパティに基づいて、第２レイアウトルールを決定するステップと、
前記決定された第２レイアウトルールに基づいて、前記第１オブジェクトを変更するステップと、
レイアウト結果を出力するステップであり、前記レイアウト結果は、前記プレゼンテーションスライド、および、前記決定された第２レイアウトルールに基づく前記第１オブジェクトの変更に少なくとも部分的に基づいている、ステップと、
を含む、
コンピュータで読取り可能な非一時的な媒体。
【請求項１５】
前記デバイス特性は、ディスプレイスクリーンのサイズ、ディスプレイスクリーンの向き、色深度機能、メモリサイズ、および、入力機能、を含む、
請求項１４に記載のコンピュータで読取り可能な非一時的な媒体。
【請求項１６】
前記決定された第１レイアウトルールに基づいて、前記第１オブジェクトを変更するステップは、さらに、
前記決定された第１レイアウトルールに基づいて、前記第１オブジェクトの位置、前記第１オブジェクトのサイズ、前記第１オブジェクトの向き、および、前記第１オブジェクトの色、のうち少なくとも１つを変更するステップ、を含む、
請求項１４に記載のコンピュータで読取り可能な非一時的な媒体。
【請求項１７】
前記第１オブジェクトの前記第１プロパティは、
前記第１オブジェクトのタイプ、前記第１オブジェクトのサイズ、前記第１オブジェクトの向き、または、前記第１オブジェクトの色、を含む
請求項１４に記載のコンピュータで読取り可能な非一時的な媒体。
【請求項１８】
前記複数のレイアウトセグメントの各レイアウトセグメントは、前記デバイス特性に基づく異なるレイアウト結果を生成するように構成された、異なるレイアウトルールに関連付けられている、
請求項１に記載の方法。
【請求項１９】
前記方法は、さらに、
前記決定された第１レイアウトルールに基づいて、アクションを前記第１オブジェクトに関連付けるステップ、
を含む、請求項１に記載の方法。
【請求項２０】
前記アクションは、前記第１オブジェクトをフルスクリーンで出力するように構成されている、
請求項１９に記載の方法。
【請求項２１】
前記決定された第１レイアウトルールに基づいて、前記第１オブジェクトを変更するステップは、さらに、
前記決定された第１レイアウトルールに基づいて、第２オブジェクトを変更するステップであり、前記第２オブジェクトは、前記複数のレイアウトセグメントの第２レイアウトセグメントの中に有る、ステップ、
を含む、請求項１に記載の方法。
【請求項２２】
前記決定された第１レイアウトルールに基づいて、前記第１オブジェクトを変更するために、前記少なくとも１つのプロセッサは、さらに、
前記決定された第１レイアウトルールに基づいて、第２オブジェクトを変更するように構成されており、前記第２オブジェクトは、前記複数のレイアウトセグメントの第２レイアウトセグメントの中に有る、
請求項８に記載のシステム。
【請求項２３】
前記決定された第１レイアウトルールに基づいて、前記第１オブジェクトを変更するステップは、さらに、
前記決定された第１レイアウトルールに基づいて、第２オブジェクトを変更するステップであり、前記第２オブジェクトは、前記複数のレイアウトセグメントの第２レイアウトセグメントの中に有る、ステップ、
を含む、請求項１４に記載のコンピュータで読取り可能な非一時的な媒体。